(57)【要約】【課題】背面に映る被写体の影を抑える。【解決手段】撮影装置１０は、撮影空間２０Ａと収納空間２０Ｂを有する筐体２０と、収納空間２０Ｂ内に設けられた照明部Ｓ１，Ｓ２およびカメラ１２と、撮影空間２０Ａ内に設けられ、背面３６を照らす追加照明部４０とを備える。追加照明部４０は照明箱体４０Ａを有し、照明箱体４０Ａの照明上板４１は背面３６から離れる方向に向かって下方へ傾斜する傾斜板４０ａを有する。【選択図】図１
2019101277.tif 000002
【特許請求の範囲】
【請求項１】
正面と背面とを含む撮影空間と、収納空間とを有する筐体と、
前記筐体の前記収納空間内に設けられ、前記撮影空間を照らす照明部および前記撮影空間を撮影するカメラと、
前記筐体の前記撮影空間内の前記背面側に設けられ、前記背面を下方から照らす追加照明部とを備え、
前記追加照明部は少なくとも照明上板を有する照明箱体と、この照明箱体内に設けられた照明要素とを有し、前記照明上板は前記背面から離れる方向に向かって下方へ傾斜する、撮影装置。
【請求項２】
前記照明箱体の前記照明上板は、前記背面から離れる方向に向かって下方へ傾斜する単一の傾斜板からなる、請求項１記載の撮影装置。
【請求項３】
前記照明箱体の前記照明上板は、前記背面から離れる方向に向かう稜線により分離された一対の傾斜板からなり、各傾斜板は前記背面から離れる方向に沿って下方へ傾斜する、請求項１記載の撮影装置。
【請求項４】
前記照明箱体の前記照明上板は、前記背面側に位置し、前記背面から離れる方向に向かって水平に延びる水平板と、この水平板の前記背面と反対側に連結され、前記背面から離れる方向に向かって下方へ傾斜する傾斜板とからなる、請求項１記載の撮影装置。
【請求項５】
前記照明上板は前記背面から離れる方向に向かって、水平方向に対して６０°〜８０°下方へ傾斜する、請求項１乃至４のいずれか一項に記載の撮影装置。
【発明の詳細な説明】
【技術分野】
【０００１】
本発明は、撮影装置に係り、とりわけ背面に映る被写体の影を抑えることができる撮影装置に関する。
【背景技術】
【０００２】
従来、免許証やパスポート、履歴書等に貼付するための写真等を撮影するためのボックス型の写真撮影装置が知られている。この写真撮影装置においては、ユーザー、すなわち被写体が撮影されるとともに、得られた被写体画像がプリントされる。
【０００３】
そして、例えば、プリクラや証明写真ボックスなどのセルフポートレイト撮影機として筐体を有し、筐体内が前面と背面とを有する撮影空間と、カメラおよび照明部を収納する収納空間とに区画された写真撮影装置が知られている。
【０００４】
このような従来の写真撮影装置においては、撮影空間の背面側に、背面に映る被写体の影を抑える追加照明部が設けられている。
【先行技術文献】
【特許文献】
【０００５】
【特許文献１】特開２００５−１２３９７８号公報
【発明の概要】
【発明が解決しようとする課題】
【０００６】
しかしながら、被写体の後髪が長い場合、あるいは被写体がフード付上着を着ている場合、後髪あるいはフードが追加照明部の上板に載ってしまうと、追加照明部により背面を完全に照らすことはできず、背面に被写体の影が残ることがある。この場合、背面を背景とするクロマキー合成処理を精度良く行うことができず、明瞭な写真を作製することができない。
【０００７】
本発明は、このような点を考慮してなされたものであり、背面に映る被者体の影をできるだけ抑えることができる撮影装置を提供することを目的とする。
【課題を解決するための手段】
【０００８】
本発明は、正面と背面とを含む撮影空間と、収納空間とを有する筐体と、前記筐体の前記収納空間内に設けられ、前記撮影空間を照らす照明部および前記撮影空間を撮影するカメラと、前記筐体の前記撮影空間内の前記背面側に設けられ、前記背面を下方から照らす追加照明部とを備え、前記追加照明部は少なくとも照明上板を有する照明箱体と、この照明箱体内に設けられた照明要素とを有し、前記照明上板は前記背面から離れる方向に向かって下方へ傾斜する、撮影装置である。
【０００９】
本発明は、前記照明箱体の前記照明上板は、前記背面から離れる方向に向かって下方へ傾斜する単一の傾斜板からなる、撮影装置である。
【００１０】
本発明は、前記照明箱体の前記照明上板は、前記背面から離れる方向に向かう稜線により分離された一対の傾斜板からなり、各傾斜板は背面から離れる方向に沿って下方へ傾斜する、撮影装置である。
【００１１】
本発明は、前記照明箱体の前記照明上板は、前記背面側に位置し、前記背面から離れる方向に向かって水平に延びる水平板と、この水平板の前記背面と反対側に連結され、前記背面から離れる方向に向かって下方へ傾斜する傾斜板とからなる、撮影装置である。
【００１２】
本発明は、前記照明上板は前記背面から離れる方向に向かって、水平方向に対して６０°〜８０°下方へ傾斜する、撮影装置である。
【発明の効果】
【００１３】
以上のように本発明によれば、背面に映る被写体の影をできる限り抑えて明瞭な写真を作製することができる。
【図面の簡単な説明】
【００１４】
【図１】図１は、本実施の形態による写真撮影装置の各構成部分の配置の一例を示す側面図である。
【図２】図２は、写真撮影装置内の被写体および背面に映る影を示す図である。
【図３】図３は、比較例としての写真撮影装置を示す図である。
【図４】図４は、写真撮影装置内の被写体および背面に映る影を示す図である。
【図５】図５は、追加照明部を示す斜視図である。
【図６】図６は、写真撮影装置のシステム構成の一例を示す図である。
【図７】図７は、写真撮影装置の外観を示す図である。
【図８】図８は、本発明の変形例を示す図である。
【図９】図９は、本発明の変形例を示す図である。
【発明を実施するための形態】
【００１５】
＜発明の実施の形態＞
以下、図面を参照して本発明の実施の形態について説明する。
【００１６】
ここで図１は、本実施の形態による写真撮影装置に被写体（ユーザー）Ｐが位置した場合の各構成部分の配置の一例を示す図である。また、図２は、図１に示す写真撮影装置内の被写体および背面に映る影を示す図である。また図３は、比較例としての写真撮影装置を示す図である。また、図４は、図３に示す写真撮影装置内の被写体および背面に映る影を示す図である。また図５は追加照明部を示す斜視図、図６は写真撮影装置のシステム構成を示す図、図７は写真撮影装置の外観図である。
【００１７】
なお、図１においては、簡単のため、Ｉ／Ｏユニット３１は省略されている。
【００１８】
図１乃至図７に示すように、本発明による写真撮影装置（単に撮影装置ともいう）１０は筐体２０と、筐体２０内を撮影空間２０Ａと収納空間２０Ｂとに区画する回動自在の開閉扉２１とを備えている。このうち筐体２０はその一側に出入口２０ａを有し、筐体２０の内壁２０ｄのうち出入口２０ａと反対側の部分に開閉扉２１用のヒンジが垂直方向に延びて設けられている。そして開閉扉２１は、このヒンジを介して回動可能となっており、開閉扉２１は筐体２０内を撮影空間２０Ａと収納空間２０Ｂとに明確に区画する閉位置と、この閉位置から撮影空間２０Ａ側へ回動する開位置とを取ることができる。
【００１９】
また筐体２０の撮影空間２０Ａは正面３５と背面３６とを有し、この撮影空間２０Ａ内には、被写体が座る座部２５が設けられている。
【００２０】
さらに筐体２０の収納空間２０Ｂ内には、筐体２０の内壁２０ｄに沿って、下方から上方へ向かって順に、プリンタ１７と、電源ユニット１９と、カメラ（撮影部）１２と、制御部１１とが設けられている。このうちプリンタ１７はカメラ１２で撮影した写真をメディアにプリントするものである。また制御部１１は、後述のように写真撮影装置１０全体を制御するものである。
【００２１】
さらに筐体２０の収納室内２０Ｂ内には、開閉扉２１の収納空間２０Ｂ側の面に、下方から上方へ向かって順に、下方ストロボユニットＳ１と、表示状態および操作機能をもったモニタ１４と、検知センサ１３およびスピーカ２２と、課金設備２３と、上方ストロボユニットＳ２とが設けられている。このうち下方ストロボユニットＳ１と上方ストロボユニットＳ２は、撮影空間２０Ａ内を照らす照明部を構成する。
【００２２】
またモニタ１４は被写体に対して撮影した写真を表示する機能と、被写体であるユーザＰが必要な操作を実行する操作機能とを有する。
【００２３】
また、図７に示すように、筐体２０の外面には、プリンタ１７によりプリントされた写真印刷物を取り取出口２０ｃと、ユーザーＰが筐体２０内部に出入する出入口２０ａが設けられている。
【００２４】
また、図７に示すように、出入口２０ａには、写真撮影を行う際に外部からの光を遮断する遮光カーテン２０ｂが取り付けられている。
【００２５】
また図１に示すように、撮影空間２０Ａに設けられた座部２５は、ユーザーＰの高さに応じて昇降可能となっている。
【００２６】
次に写真撮影装置１０の各構成部分について、更に詳述する。
【００２７】
図１に示すように、開閉扉２１には撮影窓２１ｂが設けられ、収納空間２０Ｂに設けられたカメラ１２は、この撮影窓２１ｂを介して撮影空間２０Ａ内の被写体（ユーザー）Ｐを撮影して画像情報を得る。またプリンタ１７はこの画像情報に対応する被写体画像をプリントしてユーザーＰに証明写真を提供する。
【００２８】
なお「画像情報」とは、撮影により得られた被写体画像の電子情報のことである。
【００２９】
また、撮影窓２１ｂの下方には、ユーザーＰが撮影空間２０Ａ内に入ってきたことを検知する検知センサ１３と、スピーカ２２とが設けられている。
【００３０】
そして、ユーザーＰの入室が検知センサ１３により検知されると、モニタ１４およびスピーカ２２によるガイダンスを開始する。
【００３１】
次に制御部１１について述べる。制御部１１は、ＣＰＵ（Central Processing Unit）、ＲＡＭ（Random Access Memory）等から構成される。
【００３２】
この制御部１１は、記憶部１６に格納されているシステムプログラムや、画像撮影処理プログラム、画像処理プログラム等の各種プログラムを読み出してＲＡＭに展開し、当該プログラムに従って各部の動作を集中制御するようになっている。
【００３３】
また、撮影部であるカメラ１２は、光学レンズ、ＣＣＤ（Charge Coupled Device）等の光学センサ、Ａ／Ｄ（Analog/Digital）変換部等で構成されている。
【００３４】
このカメラ１２は、撮影時には光学レンズを介して入力される被写体像を光学センサにより光電変換して画像信号（アナログ）を生成する。そして、当該Ａ／Ｄ変換部によりアナログ画像信号からデジタル画像データを得て、当該デジタル画像データを制御部１１に出力するようになっている。
【００３５】
撮影部であるカメラ１２は、上述のように筐体２０の内壁２０ｄに設けられ、撮影空間２０Ａ内に位置するユーザーＰを撮影して画像情報を得るようになっている。
【００３６】
また、検知センサ１３は、筐体２０の撮影空間２０Ａ内にユーザーＰが入室したことを検知する光学センサであり、その検知信号を制御部１１に出力するようになっている。
【００３７】
また、操作機能をもつモニタ１４は、ユーザーＰが撮影に関する操作入力をするためのものである。
【００３８】
このモニタ１４は、写真種類を選択するための写真種選択スイッチ、撮影開始を指示するための撮影スイッチ、撮影画像のプリント出力を指示するためのプリントスイッチ等の各種機能キーを備える。
【００３９】
またモニタ１４は後述のように表示機能をも併せもっており、タッチパネルからなる。
【００４０】
このモニタ１４は、操作されたキーに対応する操作信号を制御部１１に出力するようになっている。
【００４１】
すなわちモニタ１４は操作手順やその他撮影に関するガイド映像等を表示するＬＣＤ表示部を有する。
【００４２】
このＬＣＤ表示部は、ＬＣＤ（Liquid Crystal Display）の画面を備える。
【００４３】
このＬＣＤ表示部は、制御部１１からの制御信号に従って、撮影手順を説明するガイド画面、写真種類を選択するための選択画面等の各種操作画面や、カメラ（撮像装置）Ｃにより撮影されたユーザーＰの顔画像等を表示する。
【００４４】
また、ＬＣＤ表示部は、既述のように、撮影に関する情報をユーザーＰに向けて表示するとともに、ユーザーが撮影に関する操作入力を行うようになっている。
【００４５】
モニタ１４はカメラ１２用の撮影窓２１ｂよりも下方に位置するように開閉扉２１に設けられ、撮影に関する所定の情報を表示するためのものである。
【００４６】
なお、撮影に関する情報は、ＬＣＤ表示部に表示されるとともに、ＬＣＤ表示部の下方に設けられたスピーカ２２を介して音声でユーザーＰに提供されてもよい。
【００４７】
また、記憶部１６は、システムプログラムの他、顔画像撮影処理プログラム、画像処理プログラム等の各種処理プログラム及び各プログラムで処理されたデータ等を記憶するようになっている。
【００４８】
そして、プリンタ１７は、制御部１１から入力された画像データに基づいてプリント出力を行う（すなわち、カメラ（撮影部）Ｃが取得した画像情報に対応する被写体画像をプリントする）ようになっている。
【００４９】
また、図６に示すＩ／Ｏユニット３１は、制御部１１と、スピーカ２２、課金設備２３、及びストロボユニットＳとの間で情報のやり取りを仲介するインターフェイスである。
【００５０】
このＩ／Ｏユニット３１は、制御部１１からの制御信号をスピーカ２２、課金設備２３、ストロボユニットＳに送信するとともに、スピーカ２２、課金設備２３、ストロボユニットＳからのステータス信号等を制御部１１に出力するようになっている。
【００５１】
そして、スピーカ２２は、Ｉ／Ｏユニット３１を介して制御部１１から入力されるガイド用アナウンスの音声信号を出力する。
【００５２】
また、図１に示すように、開閉扉２１の収納空間２０Ｂ側の面には、ユーザーＰの前方位置に撮影用の下方ストロボユニットＳ１と上方ストロボユニットＳ２が設けられている。さらに撮影空間２０Ａ内の背面３６側には座部２５に座っているユーザーＰの後方位置にある背面３６に光を照射する追加ストロボユニット（追加照明部）４０が設けられている。
【００５３】
ユーザーＰの前方に設けられた下方ストロボユニットＳ１および上方ストロボユニットＳ２と、追加ストロボユニット４０は、制御部１１から指示された発光タイミング、発光量で同期して発光を行うようになっている。
【００５４】
次に追加ストロボユニット（追加照明部）４０について更に述べる。追加ストロボユニット４０は、背面３６を照らして下方ストロボユニットＳ１および上方ストロボユニットＳ２により背面３６に映り込むユーザーＰの影を抑えるようにしたものである。
【００５５】
このような追加ストロボユニット４０は、筐体２０の撮影空間２０Ａ内の背面３６側に設けられ、背面３６を照らすものであり、照明箱体４０Ａと、照明箱体４０Ａ内に設けられた照明要素４０Ｂとを備える。このうち照明箱体４０Ａは、図１および図５に示すように、照明上板４１と、照明側板４２と、照明底板４３とを有する。
【００５６】
また照明上板４１は背面３６から正面３５へ向かう方向、すなわち背面３６から離れる方向に向かって下方へ傾斜する単一の傾斜板４１ａからなり、この傾斜板４１ａはガラス板またはアクリル板からなる透明板を含む。
【００５７】
追加ストロボユニット４０の証明上板４１は、透明板を含む傾斜板４１ａからなるため、例えば後述のように座部２５に座る女性のユーザーＰがおさげのような長い後髪Ｐ１をもつ場合、たとえこの後髪Ｐ１が照明上板４１上に載っても、後髪Ｐ１は照明上板４１からユーザーＰ側へ滑り落ちることになる。このため照明要素４０Ｂからの光は照明上板４１の傾斜板４１ａから上方へスムーズに出光し背面３６を確実に照らすことができ、照明要素４０Ｂからの光が長い後髪Ｐ１により遮られることはない。
【００５８】
なお、照明上板４１の傾斜板４１ａは、背面３６から離れる方向に向かって、水平方向に対して６０°〜８０°下方へ向かって傾斜するが、水平方向に対して７５°程度下方へ向かって傾斜することが好ましい。
【００５９】
次にこのような構成からなる本実施の形態の作用について説明する。
【００６０】
通常稼動中に被写体であるユーザーＰが筐体２０内に入り、座部２５上に座る。ユーザーＰはモニタ１４の画面に沿ってモニタ１４を操作する。そしてユーザーＰが必要な料金を課金設備２３に投入することにより、下方ストロボユニットＳ１および上方ストロボユニットＳ２と、追加ストロボユニット４０が同期して作動し、カメラ１２により撮影が開始される。カメラ１２により撮影された画像は制御部１１へ送られ、プリンタ１７により写真印刷物が作製され、作製された写真印刷物は取出口２０Ｃから排出される。
【００６１】
この間、座部２５に座るユーザーＰがおさげの髪をもち、長い後髪Ｐ１を有することがある。このような場合、たとえ後髪Ｐ１が照明上板４１の傾斜板４１ａ上に載ったとしても、この後髪Ｐ１は照明上板４１の傾斜板４１ａからユーザーＰ側へ落下する。このため追加ストロボユニット４０の照明要素４０Ｂからの光は、後髪Ｐ１に遮られることはなく、照明上板４１の傾斜板４１ａから上方へスムーズに出光して、背面３６を確実に照らすことができる。
【００６２】
このため下方ストロボユニットＳ１および上方ストロボユニットＳ２によって背面３６に映り込むユーザーＰの影３８を追加ストロボユニット４０からの光により確実に抑えることができる（図２参照）。このためカメラ１２により撮影された画像が制御部１１に送られ、この制御部１１において、ユーザーＰの画像を背面３６を背景としてクロマキー合成処理をする場合、適切かつ精度良くクロマキー合成処理を行うことができる。
【００６３】
次に図３および図４により本発明の比較例について述べる。図３に示す比較例は、追加ストロボユニット４０の照明箱体４０Ａが水平板からなる照明上板４１を有する点が異なるのみであり、他の構成は図１に示す撮影装置１０と略同一である。
【００６４】
図３において、図１に示す構成要素と同一部分については同一符号を付して詳細な説明は省略する。
【００６５】
図３において、座部２５上にユーザーＰが座った場合、ユーザーＰの長い後髪Ｐ１は追加ストロボユニット４０の照明上板４１上に載り、後髪Ｐ１は照明上板４１上に残ってしまう。このため、追加ストロボユニット４０の照明要素４０Ｂからの光は後髪Ｐ１により遮られることになり、背面３６上に長い後髪Ｐ１の影３９が生じ、背面３６に映り込むユーザーＰの影３８を抑えることはむずかしくなる（図３および図４参照）。
【００６６】
これに対して本実施の形態によれば、下方ストロボユニットＳ１および上方ストロボユニットＳ２によって背面３６に映り込むユーザーＰの影３８を追加ストロボユニット４０からの光により確実に抑えることができる。
【００６７】
＜本発明の変形例＞
次に本発明の変形例について、図８および図９により説明する。図８に示す変形例は追加ストロボユニット４０の構造が異なるのみであり、他の構成は図１乃至図７に示す本発明の実施の形態と略同一である。
【００６８】
図８に示すように、追加ストロボユニット４０は照明箱体４０Ａと、照明箱体４０Ａ内に設けられた照明要素４０Ｂとを備える。照明箱体４０Ａは照明上板４１と、証明側板４２と、証明底板４３とを有し、このうち照明上板４１は背面３６から正面３５へ向かう方向、すなわち背面３６から離れる方向に向かって延びる稜線４１ｄにより分離された山形状をなす一対の傾斜板４１ｂ，４１ｃを含む。
【００６９】
また各傾斜板４１ｂ，４１ｃは透明板を含み、背面３６から離れる方向に向かって水平方向に対して６０°〜８０°、好ましくは７５°程度下方へ向かって傾斜している。このため照明上板４１の各傾斜板４１ｂ，４１ｃ上に長い後髪Ｐ１が載ったとしても、この後髪Ｐ１を各傾斜板４１ｂ，４１ｃ上からユーザーＰ側へ落下させることができる。
【００７０】
また図９に示す変形例も追加ストロボユニット４０の構造が異なるのみであり、他の構成は図１乃至図７に示す本発明の実施の形態と略同一である。
【００７１】
図９に示すように、追加ストロボユニット４０は照明箱体４０Ａと、照明箱体４０Ａ内に設けられた照明要素４０Ｂとを備える。照明箱体４０Ａは照明上板４１と、側板４２と、底板４３とを有し、このうち照明上板４１は背面３６から正面３５へ向かう方向、すなわち背面３６から離れる方向に向かって水平に延びるとともに透明板を含む水平板４１ｅと、水平板４１ｅの背面３６と反対側に連結され、背面３６から離れる方向に向かって下方へ傾斜する傾斜板４１ｆとを有する。また傾斜板４１ｆは透明板を含み、背面３６から離れる方向に向かって水平方向に対して６０°〜８０°、好ましくは７５°程度下方へ向かって傾斜している。このため照明上板４１の傾斜板４１ｆ上に長い後髪Ｐ１が載ったとしても、この後髪Ｐ１を傾斜板４１ｆ上からユーザーＰ側へ落下させることができる。
【符号の説明】
【００７２】
１０  写真撮影装置
１１  制御部
１２  カメラ（撮影部）
１３  検知センサ
１４  モニタ
１６  記憶部
１７  プリンタ
２０  筐体
２０Ａ  撮影空間
２０Ｂ  収納空間
２０ｄ  内壁
２１  開閉扉
２１ｂ  撮影窓
２２  スピーカ
２３  課金設備
３１  Ｉ／Ｏ（Input/Output）ユニット
３５  正面
３６  背面
４０  追加ストロボユニット
４０Ａ  照明箱体
４０Ｂ  照明要素
４１  照明上板
４１ａ，４１ｂ，４１ｃ，４１ｆ  傾斜板
Ｓ１  下方ストロボユニット
Ｓ２  上方ストロボユニット
Ｐ  ユーザー
【図１】
2019101277.tif 000003
【図２】
2019101277.tif 000004
【図３】
2019101277.tif 000005
【図４】
2019101277.tif 000006
【図５】
2019101277.tif 000007
【図６】
2019101277.tif 000008
【図７】
2019101277.tif 000009
【図８】
2019101277.tif 000010
【図９】
2019101277.tif 000011